(57)【要約】【課題】個々のトラックとＩＯ機器との関係を容易に把握することができるプログラム、情報処理方法、情報処理装置、および音響機器を提供する。【解決手段】プログラムは、マルチトラックコンテンツを作成するためのトラック編集画面を情報処理装置の表示器に表示し、前記トラック編集画面に表示するトラックから、１のトラックの選択を受け付けて、前記編集画面上に、選択されたトラックの信号処理用の管理画面を表示し、前記信号処理用の管理画面に、外部音響機器の管理画面を表示する、処理を情報処理装置に実行させる。【選択図】図４
2019106585.tif 000002
【特許請求の範囲】
【請求項１】
マルチトラックコンテンツを作成するためのトラック編集画面を情報処理装置の表示器に表示し、
前記トラック編集画面に表示するトラックのうち、１のトラックの選択を受け付けて、
前記編集画面上に、選択されたトラックの信号処理用の管理画面を表示し、
前記信号処理用の管理画面に、外部音響機器の管理画面を表示する、
処理を前記情報処理装置に実行させるプログラム。
【請求項２】
前記外部音響機器の管理画面は、入力から出力までのオーディオ信号の流れを表した画面である、
請求項１に記載のプログラム。
【請求項３】
前記外部音響機器の管理画面において、
前記外部音響機器で信号処理を行なう第１状態と、
前記外部音響機器で信号処理を行なわない第２状態と、
で表示を変更する、
請求項１または請求項２に記載のプログラム。
【請求項４】
前記外部音響機器の管理画面において、
前記外部音響機器に入力された入力オーディオ信号が前記情報処理装置に入力されずに出力される第３状態と、
前記入力オーディオ信号が前記情報処理装置を経て出力される第４状態と、
で表示を変更する、
請求項１乃至請求項３のいずれか１項に記載のプログラム。
【請求項５】
前記外部音響機器の管理画面において、
前記外部音響機器に入力した入力オーディオ信号が、前記情報処理装置に入力される位置および前記情報処理装置から出力される位置を表示する、
請求項１乃至請求項４のいずれか１項に記載のプログラム。
【請求項６】
前記外部音響機器で使用されるポートの一覧画面を表示し、
前記ポートのうち、前記情報処理装置に割り当てられるポートと、それ以外のポートと、の表示態様を変更する、
請求項１乃至請求項５のいずれか１項に記載のプログラム。
【請求項７】
前記一覧画面において、
特定のポートと、該特定のポート以外のポートと、で表示態様を変更する、
請求項６に記載のプログラム。
【請求項８】
前記特定のポートは、前記選択されたトラックに割り当てられるポートである
請求項７に記載のプログラム。
【請求項９】
前記情報処理装置に割り当てられるポートのうち、複数のトラックまたは複数の信号処理のパラメータに割り当てられているポートに対して操作を受け付けない状態とする、
請求項８に記載のプログラム。
【請求項１０】
前記一覧画面において、
前記情報処理装置に割り当てられるポートのうち、複数の前記トラックまたは複数の前記信号処理のパラメータに割り当てられているポートの表示態様を変更する、
請求項８または請求項９に記載のプログラム。
【請求項１１】
マルチトラックコンテンツを作成するためのトラック編集画面を情報処理装置の表示器に表示し、
前記トラック編集画面に表示するトラックから、１のトラックの選択を受け付けて、
前記編集画面上に、選択されたトラックの信号処理用の管理画面を表示し、
前記信号処理用の管理画面に、外部音響機器の管理画面を表示する、
情報処理方法。
【請求項１２】
表示器と、
マルチトラックコンテンツを作成するためのトラック編集画面を前記表示器に表示し、
前記トラック編集画面に表示するトラックから、１のトラックの選択を受け付けて、
前記編集画面上に、選択されたトラックの信号処理用の管理画面を表示し、
前記信号処理用の管理画面に、外部音響機器の管理画面を表示する、
処理を行なう制御部と、
を備えた情報処理装置。
【請求項１３】
請求項１２に記載の情報処理装置に接続される通信インタフェースと、
オーディオ信号の入出力インタフェースと、
前記通信インタフェースを介して、前記外部音響機器の管理画面の表示必要な情報を送信する制御部と、
を備えた音響機器。
【請求項１４】
オーディオ信号の入出力インタフェースと、
情報処理装置と接続される通信インタフェースと、
自装置の状態を示す情報を記憶するメモリと、
自装置の状態変更の指示を受け付けて、前記メモリの情報を書き換え、書き換えた内容を示す情報を、前記通信インタフェースを介して前記情報処理装置に送信し、前記情報処理装置のメモリの情報を書き換えさせ、前記情報処理装置におけるマルチトラックコンテンツを作成するためのトラック編集画面の表示の変更をさせる、制御部と、
備えた音響機器。
【発明の詳細な説明】
【技術分野】
【０００１】
この発明は、オーディオインタフェース機器の設定等を行なうためのプログラム、情報処理方法、情報処理装置、および音響機器に関する。
【背景技術】
【０００２】
非特許文献１には、Digital Audio Workstation（以下、ＤＡＷと称する。）のミキサ画面において、オーディオインタフェース機器（以下、ＩＯ機器と称する。）の設定画面を表示する構成が記載されている。
【先行技術文献】
【非特許文献】
【０００３】
【非特許文献１】http://www.apogeedigital.com/blog/ensemble-element-integrate-logic-pro-easily-eliminate-latency?group2
【発明の概要】
【発明が解決しようとする課題】
【０００４】
しかし、ＤＡＷの利用者は、ミキサ画面を用いたマスタリングを行なうだけでなく、作曲段階において個々のトラックで作業を行なうための画面を用いることも多い。
【０００５】
個々のトラックを操作する場合に、ユーザは、操作中のトラックとＩＯ機器との関係が分かりにくくなる、という問題があった。例えば、操作中のトラックに入力されるオーディオ信号が、ＩＯ機器でエフェクト処理が行なわれた後のオーディオ信号であるか否か、把握することが難しい。
【０００６】
そこで、この発明は、個々のトラックとＩＯ機器との関係を容易に把握することができるプログラム、情報処理方法、情報処理装置、および音響機器を提供することを目的とする。
【課題を解決するための手段】
【０００７】
プログラムは、マルチトラックコンテンツを作成するためのトラック編集画面を情報処理装置の表示器に表示し、前記トラック編集画面に表示するトラックから、１のトラックの選択を受け付けて、前記編集画面上に、選択されたトラックの信号処理用の管理画面を表示し、前記信号処理用の管理画面に、外部音響機器の管理画面を表示する、処理を情報処理装置に実行させる。
【発明の効果】
【０００８】
この発明は、個々のトラックとＩＯ機器との関係を容易に把握することができる。
【図面の簡単な説明】
【０００９】
【図１】音響システム１の構成を示すブロック図である。
【図２】ＰＣ１１の構成を示すブロック図である。
【図３】ＩＯ機器１２の構成を示すブロック図である。
【図４】ＰＣ１１の表示器１０１に表示されるＧＵＩの一例である。
【図５】管理画面７０の詳細を示す図である。
【図６】管理画面７０の詳細を示す図である。
【図７】管理画面７０の詳細を示す図である。
【図８】図８（Ａ）および図８（Ｂ）は、管理画面７０の詳細を示す図である。
【図９】図９（Ａ）および図９（Ｂ）は、ポート一覧画面の一例を示す図である。
【図１０】ＤＡＷの動作を示すフローチャートである。
【図１１】ハードウェアモニタリングのオン／オフ時の動作を示すフローチャートである。
【図１２】ＩＯ機器１２におけるエフェクト処理のオン／オフ時の動作を示すフローチャートである。
【図１３】ＩＯ機器１２において、ユーザが設定を変更し、状態が変化した場合の各装置の動作を示すフローチャートである。
【図１４】ＤＡＷにおいて、ユーザが設定を変更し、状態が変化した場合の各装置の動作を示すフローチャートである。
【図１５】Ｅｄｉｔｏｒの動作を示すフローチャートである。
【図１６】ポート一覧画面の一例を示す図である。
【発明を実施するための形態】
【００１０】
図１は、音響システムの構成を示すブロック図である。音響システム１は、情報処理装置の一例であるＰＣ１１と、音響機器の一例であるＩＯ機器１２と、を備えている。ＰＣ１１およびＩＯ機器１２は、ＵＳＢ（Universal Serial Bus）、ＩＥＥＥ１３９４、ＬＡＮ（Local Area Network）、またはＭＩＤＩ（Musical Instrument Digital Interface）等の通信インタフェースを介して接続される。
【００１１】
図２は、ＰＣ１１の構成を示すブロック図である。ＰＣ１１は、表示器１０１、ユーザインタフェース（Ｉ／Ｆ）１０２、ＣＰＵ１０３、フラッシュメモリ１０４、ＲＡＭ１０５、および通信インタフェース（Ｉ／Ｆ）１０６を備えている。これら構成は、バス１５１に接続されている。
【００１２】
表示器１０１は、例えばＬＣＤ（Liquid Crystal Display）からなり、種々の情報を表示する。ユーザＩ／Ｆ１０２は、マウスまたはキーボード等からなり、ユーザの操作を受け付ける。ユーザＩ／Ｆ１０２は、表示器１０１とともに、ＧＵＩ（Graphical User Interface）を構成する。
【００１３】
ＣＰＵ１０３は、制御部に対応する。ＣＰＵ１０３は、記憶媒体であるフラッシュメモリ１０４に記憶されているプログラムをＲＡＭ１０５に読み出して、所定の機能を実現する。例えば、ＣＰＵ１０３は、表示器１０１にユーザの操作を受け付けるための操作部の画像を表示し、ユーザＩ／Ｆ１０２を介して、当該操作部の画像に対する選択操作等を受け付けることで、ＧＵＩを実現する。また、ＣＰＵ１０３は、音楽編集用のプログラム（以下、ＤＡＷと言う。）と、ＩＯ機器１２のハードウェアを管理するためのプログラム（以下、Ｅｄｉｔｏｒと言う。）と、をフラッシュメモリ１０４から読み出して、これらプログラムに係るＧＵＩを実現する。
【００１４】
ＩＯ機器１２は、オーディオインタフェース（Ｉ／Ｆ）２０３、信号処理部２０４、通信インタフェース（Ｉ／Ｆ）２０５、ＣＰＵ２０６、フラッシュメモリ２０７、およびＲＡＭ２０８を備えている。
【００１５】
これら構成は、バスを介して接続されている。また、オーディオＩ／Ｆ２０３および信号処理部２０４は、デジタルオーディオ信号を伝送するための波形バスにも接続されている。
【００１６】
ＣＰＵ２０６は、ＩＯ機器１２の動作を制御する制御部である。ＣＰＵ２０６は、記憶媒体であるフラッシュメモリ２０７に記憶された所定のプログラムをＲＡＭ２０８に読み出して実行することにより各種の動作を行なう。例えば、ＣＰＵ２０６は、通信Ｉ／Ｆ２０５を介してＰＣ１１から受信した種々のコマンドに基づいて、オーディオＩ／Ｆ２０３における音信号の入出力、信号処理部２０４におけるミキシング処理、エフェクト処理の制御、またはパラメータの設定値の変更、等を行う。
【００１７】
信号処理部２０４は、ミキシング処理またはエフェクト処理等の各種信号処理を行なうためのＤＳＰから構成される。信号処理部２０４は、オーディオＩ／Ｆ２０３における入力端子を介して入力されるオーディオ信号に、コンプレッサによる音圧の圧縮処理、リバーブによる残響音・反射音の付与処理、またはイコライジング等のエフェクト処理を施す。信号処理部２０４は、信号処理後のオーディオ信号を、オーディオＩ／Ｆ２０３における出力端子を介して出力する。また、信号処理部２０４は、信号処理後のオーディオ信号を、通信Ｉ／Ｆ２０５を介してＰＣ１１に出力する。
【００１８】
図４は、ＰＣ１１の表示器１０１に表示されるＧＵＩの一例である。図４に示すＧＵＩは、ＤＡＷにおいて、マルチトラックコンテンツを作成するためのトラック編集画面５０の一例である。ＣＰＵ１０３は、トラック編集画面５０において、トラックリスト６０、タイムライン６１、および管理画面７０を表示する。
【００１９】
トラックリスト６０には、１または複数のトラックが表示される。ユーザは、トラックリスト６０のうちいずれか１つのトラックを選択する。ユーザがトラックを選択すると、タイムライン６１には、選択されたトラックの時間軸波形等が表示される。このようにして、ユーザは、選択したトラックの録音、編集作業が可能になる。
【００２０】
また、ユーザがトラックを選択すると、ＣＰＵ１０３は、選択されたトラックの信号処理用の管理画面７０を表示する。図５は、管理画面７０の詳細を示す図である。
【００２１】
管理画面７０は、選択トラック名表示欄７１、対応ＩＯ機器名表示欄７２、入力表示欄７３、ＷＥＴ表示アイコン７４、エフェクト表示欄７５、出力表示欄７６、インプットバス表示８１、アウトプットバス表示８２、およびアウトプットバス用メータ８３を有する。
【００２２】
選択トラック名表示欄７１には現在選択されているトラックの名称が表示される。対応ＩＯ機器名表示欄７２には、接続されているＩＯ機器１２の名称が表示される。
【００２３】
入力表示欄７３は、ＩＯ機器１２における入力側の信号処理の管理画面に対応する。この例では、入力表示欄７３には、ファンタム電源、減衰器、ローカットフィルタ、およびミュートに関するオン／オフボタンが含まれる。また、入力表示欄７３には、信号レベルに対応するメータも含まれる。
【００２４】
ＷＥＴ表示アイコン７４およびエフェクト表示欄７５は、ＩＯ機器１２における各種のエフェクト処理を行なうか否かを示す。この例では、エフェクト表示欄７５には、リヴァーブ（ＲＥＶ）およびコンプレッサ（ＣＯＭＰ）が表示されている。無論、この例で表示しているエフェクト処理は、一例であり、その他にも様々なエフェクト処理が可能である。
【００２５】
ユーザがＩＯ機器１２におけるエフェクト処理を有効に設定すると、図６に示す様に、ＷＥＴ表示アイコン７４が強調表示される。また、エフェクト表示欄７５の各エフェクト処理も強調表示される。ユーザは、例えば、ＷＥＴ表示アイコン７４をクリックすると、ＩＯ機器１２におけるエフェクト処理の有効／無効を切り替えることができる。これにより、ユーザは、ＩＯ機器１２におけるエフェクト処理が行なわれている第１状態と、ＩＯ機器１２におけるエフェクト処理が行なわれていない第２状態と、を容易に把握することができる。
【００２６】
また、この例では、ＷＥＴ表示アイコン７４およびエフェクト表示欄７５の上側にインプットバス表示８１が表示され、ＷＥＴ表示アイコン７４およびエフェクト表示欄７５の下側にアウトプットバス表示８２が表示されている。
【００２７】
インプットバス表示８１は、ＰＣ１１へのオーディオ信号の入力位置を示す。アウトプットバス表示８２は、ＰＣ１１からのオーディオ信号の出力位置を示す。管理画面７０に表示された各表示欄は、オーディオ信号の流れに沿って上から下に向かって配置されている。すなわち、入力表示欄７３は、上段に表示され、エフェクト表示欄７５が中段に表示され、ＷＥＴ表示アイコン７４および出力表示欄７６は、下段に表示されている。そして、インプットバス表示８１は、入力表示欄７３と、ＷＥＴ表示アイコン７４および出力表示欄７６と、の間に位置する。したがって、ユーザは、入力表示欄７３で表示された内容の信号処理がなされた後のオーディオ信号がＰＣ１１における作業中のトラックに入力されていることを容易に把握することができる。また、アウトプットバス表示８２は、ＷＥＴ表示アイコン７４およびエフェクト表示欄７５と、出力表示欄７６と、の間に位置する。したがって、ユーザは、ＰＣ１１における作業中のトラックで示されている信号処理がなされた後に、ＩＯ機器１２の出力側にオーディオ信号が出力されていることを容易に把握することができる。
【００２８】
また、出力表示欄７６の近傍には、アウトプットバス用メータ８３が表示されている。アウトプットバス用メータ８３は、オーディオ信号のレベルに応じて表示が変化する。したがって、ユーザは、ＰＣ１１からＩＯ機器１２に、オーディオ信号が出力されているか否かを容易に把握することができる。
【００２９】
このようにして、ユーザは、作業中のトラックと、ＩＯ機器１２との関係を容易に把握することができる。また、ユーザは、オーディオ信号の流れを直感的に把握することができる。
【００３０】
また、ユーザは、インプットバス表示８１またはアウトプットバス表示８２の位置が変わった場合に、ＰＣ１１へ入出力されるオーディオ信号が変化していることを容易に把握することができる。例えば、オーディオ信号は、ＩＯ機器１２においてエフェクト表示欄７５で表示された内容の信号処理がなされた後に、ＰＣ１１における作業中のトラックに入力されたと仮定する。この場合、図７に示す様に、インプットバス表示８１の位置がＷＥＴ表示アイコン７４およびエフェクト表示欄７５の下側に表示される。したがって、ユーザは、ＰＣ１１へ入出力されるオーディオ信号がＩＯ機器１２でエフェクト処理がなされた後のオーディオ信号であると容易に把握することができる。
【００３１】
次に、図８（Ａ）および図８（Ｂ）は、ＩＯ機器１２に入力されたオーディオ信号がＰＣ１１に入力されずにＩＯ機器１２から出力される第３状態（以下、ハードウェアモニタリングと言う。）と、入力オーディオ信号がＰＣ１１を経て出力される第４状態（以下、ソフトウェアモニタリングと言う。）と、で表示を変更する例を示す図である。図８（Ａ）は、ハードウェアモニタリングがオンされている場合の管理画面７０であり、図８（Ｂ）は、ソフトウェアモニタリングがオン（すなわちハードウェアモニタリングがオフ）されている場合の管理画面７０である。
【００３２】
ユーザは、ＩＯ機器１２の入力端子にソース音源を接続し、かつ出力端子にヘッドフォン等を接続して、該ソース音源の音を聴きながら演奏を行ない、録音を行なうことがある。ここで、入力オーディオ信号がＰＣ１１を経て出力されるソフトウェアモニタリングでは、ある程度の遅延が生じる。そのため、ユーザは、ＩＯ機器１２に入力されたオーディオ信号がＰＣ１１に入力されずにＩＯ機器１２から出力されるハードウェアモニタリングで録音を行なうことがある。
【００３３】
この例では、図８（Ａ）および図８（Ｂ）に示す様に、ハードウェアモニタリングをオフした場合には、インプットバス表示８１からアウトプットバス表示８２までの部分がグレーアウトする。これにより、ユーザは、ＩＯ機器１２において、オーディオ信号の流れが遮断されたように見える。そのため、ユーザは、直感的に、入力オーディオ信号がＰＣ１１を経て出力される状態であると認識することができる。
【００３４】
また、ハードウェアモニタリングをオフした場合には、アウトプットバス用メータ８３の表示が、オーディオ信号のレベルに応じて変化する。そのため、ユーザは、入力オーディオ信号がＰＣ１１を経て出力される状態であると認識することができる。
【００３５】
次に、図９（Ａ）および図９（Ｂ）は、ポート一覧画面の一例を示す図である。ポート一覧画面９１は、ＩＯ機器１２を管理するためのＥｄｉｔｏｒで表示される画面である。
【００３６】
ポート一覧画面９１には、ＩＯ機器１２に搭載されている複数のハードウェアのポートに対応するチャンネルストリップが、横方向に並んで表示されている。ユーザは、ポート一覧画面９１のチャンネルストリップを操作することで、ＩＯ機器１２の各ポートの設定を管理することができる。
【００３７】
ここで、ＣＰＵ１０３は、図９（Ａ）に示す様に、ＰＣ１１のＤＡＷに割り当てられているポートと、それ以外のポートとで、表示態様を変更する。例えば図９（Ａ）の例では、ポート１〜ポート８および出力側のポートＬ，ＲがＤＡＷに割り当てられている。したがって、ＣＰＵ１０３は、ポート１〜ポート８および出力側のポートＬ，Ｒを強調表示する。
【００３８】
また、図９（Ｂ）に示す様に、ＣＰＵ１０３は、ＤＡＷにおいて選択されたトラックに割り当てられるポートと、それ以外のポートと、の表示態様を変更する。図９（Ｂ）の例では、ポート１，２および出力側のポートＬ，Ｒが選択されたトラックに接続されたバスに割り当てられる。したがって、ＣＰＵ１０３は、ポート１，２および出力側のポートＬ，Ｒを別の色（例えば赤色）で表示する。また、現在録音中のトラック、ソロ（他のトラックをミュートして該当トラックのみを出力する状態）に設定されているトラック、ソロディフィート（ソロに設定されている他のトラックがある場合でも出力する状態）に設定されているトラック、ミュートに設定されているトラック、ハードウェアモニタリング、またはソフトウェアモニタリングに設定されているトラック等も、それぞれ異なる表示態様で表示してもよい。
【００３９】
無論、表示態様は、これらの例に限るものではない。例えばフェーダの色だけを変更してもよいし、ＤＡＷで利用されていないポートは表示そのものを消してもよい。
【００４０】
なお、ポート一覧画面９１では、ユーザは、ポートの設定を変更することができるが、仮にポートの設定を変更するとＤＡＷの設定も変更される場合において、ＣＰＵ１０３は、ポートの設定と、ＤＡＷの設定と、で１対１に対応しないパラメータまたはトラックがある場合には、ポートの設定操作を受け付けない（操作を無効とする）状態とするか、または図１６に示すように、グレーアウトする等して、操作できないように見せることが好ましい。すなわち、ＣＰＵ１０３は、あるポートに対して、複数のトラック、または複数の信号処理パラメータが対応する場合には、該ポートに対する操作を禁止する。
【００４１】
例えば、トラックＡの音量パラメータ、トラックＢの音量パラメータ、および出力側のポートＬ，Ｒの音量パラメータが存在する場合において、ＣＰＵ１０３は、トラックＡの音量パラメータまたはトラックＢのいずれかの音量パラメータを変更した場合には、出力側のポートＬ，Ｒの音量パラメータも、トラックＡまたはトラックＢの音量パラメータから計算して変更することができる。しかし、逆に、出力側のポートＬ，Ｒの音量パラメータが変更された場合には、トラックＡまたはトラックＢのいずれの音量パラメータを変更すべきか、判断することができない。このように、ポートの設定と、ＤＡＷの設定と、で１対１に対応しないパラメータまたはトラックが存在する場合には、ＣＰＵ１０３は、ポートの設定操作を受け付けない状態とするか、または操作できないように見せることが好ましい。
【００４２】
図１０は、ＤＡＷの動作を示すフローチャートである。ＣＰＵ１０３は、ユーザがＤＡＷのプログラムを起動して、トラック編集画面の表示を指示すると、このフローチャートの動作を行なう。
【００４３】
まず、ＣＰＵ１０３は、トラック編集画面５０を表示器１０１に表示する（Ｓ１１）。その後、ＣＰＵ１０３は、特定のトラックが選択されたか否かを判断する（Ｓ１２）。ＣＰＵ１０３は、トラックが選択されない場合には（Ｓ１２：Ｎｏ）、当該Ｓ１２の判断を繰り返す。ＣＰＵ１０３は、トラックが選択された場合には（Ｓ１３：Ｙｅｓ）、選択されたトラックの管理画面７０を表示する（Ｓ１３）。そして、ＣＰＵ１０３は、管理画面７０において、ＩＯ機器１２の管理画面を表示する。ＩＯ機器１２の管理画面は、上記の入力表示欄７３、ＷＥＴ表示アイコン７４、エフェクト表示欄７５、出力表示欄７６、インプットバス表示８１、アウトプットバス表示８２、およびアウトプットバス用メータ８３からなる。
【００４４】
図１１は、ハードウェアモニタリングのオン／オフ時の動作を示すフローチャートである。ＣＰＵ１０３は、ユーザがハードウェアモニタリングをオンしたかオフしたかを判断する（Ｓ２１）。ユーザは、ＤＡＷ上で、ハードウェアモニタリングのオン／オフを指示する。ユーザがハードウェアモニタリングのオフを指示すると、ＣＰＵ１０３は、対応箇所をグレーアウトする（Ｓ２２）。例えば、ＣＰＵ１０３は、図８（Ｂ）に示した様に、インプットバス表示８１からアウトプットバス表示８２までの箇所をグレーアウトする。また、ユーザがハードウェアモニタリングのオンを指示すると、ＣＰＵ１０３は、図８（Ａ）に示した様に、グレーアウトした箇所を元に戻す。
【００４５】
図１２は、ＩＯ機器１２におけるエフェクト処理のオン／オフ時の動作を示すフローチャートである。ＣＰＵ１０３は、ユーザがＩＯ機器１２におけるＤＳＰ２０４により、エフェクト処理を有効に設定したか否かを判断する（Ｓ３１）。ユーザがエフェクト処理を有効にした場合（ＷＥＴに設定した場合）、図６に示した様に、ＷＥＴ表示アイコン７４を強調表示する（Ｓ３２）。また、エフェクト表示欄７５の各エフェクト処理も強調表示する。ユーザは、例えば、ＷＥＴ表示アイコン７４をクリックすると、ＩＯ機器１２におけるエフェクト処理の有効／無効を切り替えることができる。一方、ユーザがエフェクト処理を無効にした場合（ＤＲＹに設定した場合）、ＷＥＴ表示アイコン７４の強調を解除する（Ｓ３３）。
【００４６】
図１３は、ＩＯ機器１２において、ユーザが設定を変更し、状態が変化した場合の各装置の動作を示すフローチャートである。上述のように、ＰＣ１１のＣＰＵ１０３は、ＤＡＷと、Ｅｄｉｔｏｒと、をそれぞれフラッシュメモリ１０４から読み出し、実行する。この時、ＲＡＭ１０５には、ＤＡＷ用のワークメモリと、Ｅｄｉｔｏｒ用のワークメモリと、がそれぞれ別に確保される。
【００４７】
ＩＯ機器１２で状態の変更があった場合（Ｓ４１）、まずＩＯ機器１２のＣＰＵ２０６は、時装置のＲＡＭ２０８に確保されているワークメモリの内容を書き換える（Ｓ４２）。状態の変更は、例えばポートの変更、ハードウェアモニタリングのオン／オフ、またはエフェクト処理のオン／オフ等である。ＣＰＵ２０６は、ワークメモリの内容を書き換えた後、通信Ｉ／Ｆ２０５を介して、ＰＣ１１に対して書き換えた内容を示す情報を送信する（Ｓ４２）。これにより、ＩＯ機器１２は、自装置の状態が変更されたことを通知する。
【００４８】
ＰＣ１１のＥｄｉｔｏｒは、通信インタフェース１０６を介して該通知を受信し、ＩＯ機器１２の状態変更を受け付ける（Ｓ５１）。また、Ｅｄｉｔｏｒは、Ｅｄｉｔｏｒ用のワークメモリの内容を書き換える（Ｓ５２）。そして、本実施形態のＰＣ１１は、Ｅｄｉｔｏｒとは別に、ＤＡＷも、通信インタフェース１０６を介して該通知を受信し、ＩＯ機器１２の状態変更を受け付ける（Ｓ６１）。ＤＡＷは、ＤＡＷ用のワークメモリの内容を書き換え（Ｓ６２）、さらに管理画面７０の表示を変更する（Ｓ６３）。例えば、エフェクト処理のオン／オフが切り替えられた時、ＤＡＷは、ＷＥＴ表示アイコン７４およびエフェクト表示欄７５の該当エフェクト処理を強調表示する。
【００４９】
図１４は、ＤＡＷにおいて、ユーザが設定を変更し、状態が変化した場合の各装置の動作を示すフローチャートである。ユーザがＧＵＩを介してＩＯ機器１２の状態を変化させる指示を行なうと（Ｓ７１）、ＤＡＷは、ＤＡＷ用のワークメモリの内容を書き換え（Ｓ７２）、通信インタフェース１０６を介して、ＩＯ機器１２に対して書き換えた内容を示す情報を送信する（Ｓ７３）。また、ＤＡＷは、管理画面７０の表示を変更する（Ｓ７４）。
【００５０】
ＩＯ機器１２は、通信Ｉ／Ｆ２０５を介してＤＡＷから状態変更を受け付け（Ｓ８１）、自装置のワークメモリの内容を書き換える（Ｓ８２）。これにより、ＩＯ機器１２の状態が変化する。例えば、ユーザがＤＡＷおいて、割り当てるポートの設定を変更した場合、ＩＯ機器１２は、各ポートからＤＡＷへの割り当てを変更する。
【００５１】
さらに、ＩＯ機器１２は、ＰＣ１１のＥｄｉｔｏｒに対して書き換えた内容を示す情報を送信する（Ｓ８３）。ＰＣ１１のＥｄｉｔｏｒは、通信インタフェース１０６を介して該通知を受信し、ＩＯ機器１２の状態変更を受け付ける（Ｓ９１）。また、Ｅｄｉｔｏｒは、Ｅｄｉｔｏｒ用のワークメモリの内容を書き換える（Ｓ９２）。
【００５２】
この様にして、ＤＡＷにおいてＩＯ機器１２の設定を変更した場合にも、その内容がＩＯ機器１２およびＥｄｉｔｏｒにも通知され、全ての装置におけるメモリの内容が書き換えられる。
【００５３】
なお、Ｓ７１において、ユーザがポートの変更、またはトラックの変更を指示した場合には、Ｅｄｉｔｏｒは、図１５に示す動作を行なう。
【００５４】
Ｅｄｉｔｏｒは、ポート毎に図１５のフローチャートに示す動作を行なう。まず、Ｅｄｉｔｏｒは、現在のポートが、ＤＡＷに割り当てられているか否かを判断する（Ｓ１０１）。ＤＡＷに割り当てられていない場合（Ｓ１０１がＮｏの場合）、Ｅｄｉｔｏｒは、該ポートの表示を通常表示にする（Ｓ１０２）。例えば、Ｅｄｉｔｏｒは、ＤＡＷに割り当てられていないポートについては、図９（Ａ）および図９（Ｂ）のポート９〜ポート１６に示した様に、強調表示およびカラー表示をしない。
【００５５】
Ｅｄｉｔｏｒは、現在のポートがＤＡＷに割り当てられている場合（Ｓ１０１がＹｅｓの場合）、さらに、該ポートがＤＡＷにおいて現在選択中のトラックで利用されているか否かを判断する（Ｓ１０３）。現在選択中のトラックで利用されていない場合（Ｓ１０３がＮｏの場合）、Ｅｄｉｔｏｒは、該ポートの表示を強調表示にする（Ｓ１０４）。例えば、Ｅｄｉｔｏｒは、図９（Ａ）および図９（Ｂ）のポート１〜ポート８および出力側のポートＬ，Ｒで示した様に、強調表示する。
【００５６】
一方、Ｅｄｉｔｏｒは、現在のポートが選択中のトラックで利用されている場合（Ｓ１０３がＹｅｓの場合）、該ポートの表示をさらに別の表示として、例えば赤色の表示にする（Ｓ１０５）。
【００５７】
これにより、Ｓ７１において、ユーザがポートの変更、またはトラックの変更を指示した場合には、ＩＯ機器１２が設定を変更するとともに、Ｅｄｉｔｏｒがポート一覧画面９１の表示も変更する。
【符号の説明】
【００５８】
１…音響システム
１１…ＰＣ
１２…ＩＯ機器
５０…トラック編集画面
６０…トラックリスト
６１…タイムライン
７０…管理画面
７１…選択トラック名表示欄
７２…ＩＯ機器名表示欄
７３…入力表示欄
７４…ＷＥＴ表示アイコン
７５…エフェクト表示欄
７６…出力表示欄
８１…インプットバス表示
８２…アウトプットバス表示
８３…アウトプットバス用メータ
９１…ポート一覧画面
１０１…表示器
１０３…ＣＰＵ
１０４…フラッシュメモリ
１０５…ＲＡＭ
１０６…通信Ｉ／Ｆ
１５１…バス
２０３…オーディオＩ／Ｆ
２０４…ＤＳＰ
２０５…Ｉ／Ｆ
２０６…ＣＰＵ
２０７…フラッシュメモリ
２０８…ＲＡＭ
【図１】
2019106585.tif 000003
【図２】
2019106585.tif 000004
【図３】
2019106585.tif 000005
【図４】
2019106585.tif 000006
【図５】
2019106585.tif 000007
【図６】
2019106585.tif 000008
【図７】
2019106585.tif 000009
【図８】
2019106585.tif 000010
【図９】
2019106585.tif 000011
【図１０】
2019106585.tif 000012
【図１１】
2019106585.tif 000013
【図１２】
2019106585.tif 000014
【図１３】
2019106585.tif 000015
【図１４】
2019106585.tif 000016
【図１５】
2019106585.tif 000017
【図１６】
2019106585.tif 000018